(57)【要約】【課題】展示現場の具体的な状況に柔軟に対応させながら優れた演出効果を伴って自由に、かつ、簡単に展示することができる汎用支持ブロックおよび汎用支持ユニットの提供。【解決手段】直方体形状を呈する汎用支持ブロック１１の各面における大径貫通孔２３および大径穴２８には、適宜長さの塑性変形可能な１以上の支持用線材３２を挿通する際に展示品７１の形状に応じて変形させるとともに、小径螺孔２２および小径ねじ穴２４〜２７に止着用ねじ材４２を螺着することで、展示品７１を抱持あるいは支持した状態の支持用線材３２を汎用支持ブロック１１側に位置固定させる。また、汎用支持ブロック１１相互は、連結用ボルト材を介して連結させることができる。このため、展示品７１の如何に拘わらず、展示現場の具体的な状況に柔軟に対応させながら優れた演出効果を伴って自由に、かつ、簡単に展示することができる。【選択図】図３
2015009084.tif 000002
【特許請求の範囲】
【請求項１】
短辺側の長さがａで長辺側の長さをｂとするとき、ｂ＝２ａ〜３ａである面形状が長方形となって隣り合う第一面〜第四面と、各短辺側の長さがａの正方形を呈して相互に向き合う第五面と第六面とで直方体形状を呈し、
前記第一面には、その長さ方向での中心線方向をその円心位置として配置される１以上の小径螺孔を、
前記第二面には、その長さ方向での中心線からいずれか一方の長辺側にずれた平行線方向をそれぞれの円心位置とし、かつ、前記第一面の前記小径螺孔とは異なる位置にて隣り合う相互の間隔を同一にして前記第四面側へと貫通配置される２個以上の大径貫通孔を、
前記第三面には、前記第一面側から貫通している前記小径螺孔の位置を基準に、前記第二面の前記大径貫通孔のうち、少なくとも一方寄りに位置する前記大径貫通孔へと横並びとなって至る２個の小径ねじ穴と、前記小径螺孔と同じ中心線方向にて前記第五面と第六面とのいずれか寄りに配置される１個の小径ねじ穴と、前記第二面でいずれか１個の前記大径貫通孔へと至って連通する１以上の小径ねじ穴とを、
前記第五面には、前記第一面の一方の前記小径螺孔へと至って連通する前記大径貫通孔と同径な１個の大径穴を、
前記第六面には、前記第一面の他方の前記小径螺孔へと至って連通する前記大径貫通孔と同径な１個の大径穴を、
それぞれ少なくとも設けたことを特徴とする汎用支持ブロック。
【請求項２】
前記第一面には、その長さ方向での中心線方向をそれぞれの円心位置として離間配置される２個の小径螺孔を、
前記第三面には、前記第一面側から貫通している前記小径螺孔の位置を基準に、前記第二面の前記大径貫通孔のうち、一方寄りに位置する前記大径貫通孔へと横並びとなって至る２個の小径ねじ穴と、他方寄りに位置する前記大径貫通孔へと横並びに至って連通する２個の小径ねじ穴と、前記小径螺孔と同じ中心線方向にて前記第五面寄りと第六面寄りとに各別に配置される小径ねじ穴と、前記第二面で中央に位置する前記大径貫通孔へと横並びに至って連通する２個の小径ねじ穴とを、
前記第五面には、前記第一面の一方の前記小径螺孔へと至って連通する前記大径貫通孔と同径な１個の大径穴を、
前記第六面には、前記第一面の他方の前記小径螺孔へと至って連通する前記大径貫通孔と同径な１個の大径穴を、
それぞれ設けた請求項１に記載の汎用支持ブロック。
【請求項３】
請求項１または２に記載の１以上の前記汎用支持ブロックと、前記大径貫通孔および前記大径穴を介して挿通支持される適宜長さの塑性変形可能な１以上の支持用線材と、前記大径貫通孔側および前記大径穴側への前記支持用線材の位置固定を可能に前記小径螺孔および前記小径ねじ穴に螺着される１以上の止着用ねじ材と、前記小径螺孔および前記小径ねじ穴との螺合が自在な適宜長さの１以上の連結用ボルト材とで少なくとも構成したことを特徴とする汎用支持ユニット。
【請求項４】
前記支持用線材には、該支持用線材を部分的に覆って支持すべき展示品への直接接触を回避させて傷付かないように保護すべく、軟質チューブを挿通配置した請求項３に記載の汎用支持ユニット。
【請求項５】
前記連結用ボルト材には、２個のナット材を具備させた請求項または３に記載の汎用支持ユニット。
【請求項６】
前記汎用支持ブロックは、前記第一面または第四面の前記小径螺孔から、もしくは第二面または第四面の前記大径貫通孔からそれぞれの反対面側へと送り込まれる１以上の固定用ねじ材を介して適宜の壁面側への着脱を自在とした請求項３ないし５のいずれかに記載の汎用支持ユニット。
【発明の詳細な説明】
【技術分野】
【０００１】
本発明は、発掘された石斧や土器などの遺物や、日用品を含む比較的小型な各種物品を展示する際に好適に用いることができる汎用支持ブロックおよび汎用支持ユニットに関する技術である。
【背景技術】
【０００２】
例えば、博物館においては、発掘された石斧や土器などの各種遺物が展示品として展示されている。また、上記遺物に限らず、展示品を効果的に演出して展示するためには、その展示の仕方に種々の工夫を凝らして見やすく展示したり注目度のアップを図る必要がある。
【０００３】
このため、例えば展示パネルを展示品とする場合には、脱落を確実に防止しつつ、該展示パネルを支持ポールに対してその向きを変更可能な状態のもとで支持させることができる構造を備えたものも、例えば下記特許文献１に示す「展示パネル支持装置」として既に提案されている。
【先行技術文献】
【特許文献】
【０００４】
【特許文献１】実開平６−１３６２７号公報
【０００５】
上記特許文献１に開示されている「展示パネル支持装置」によれば、略アングル形状に形成されている取付金具は、上側リングと下側リングとで挟持されているので、これら上側リングと下側リングとからの脱落を防止することができ、かつ、これら上側リングおよび下側リングに摺動自在に取り付けることができるため、展示パネルをポールに対し向き変更を可能に支持させることができるようになっている。
【発明の概要】
【発明が解決しようとする課題】
【０００６】
しかし、特許文献１に開示されている「展示パネル支持装置」については、あくまでも展示パネルを向き変更を可能に支持させることができる展示パネル専用品であり、用途に汎用性がない不都合があったほか、事前にパネル材側に必要な加工を施しておいたり、金具を取り付けておかなければならない作業的な煩雑さもあった。
【０００７】
また、内側に配置した連結金具を用いる連結手法による場合には、パネル材側に取付け用孔を設けておかなければならないほか、連結金具側をパネル材側に正対させるのが難しかしいなど、必ずしも現場状況に柔軟に対応しきれないという不具合があった。
【０００８】
一方、展示物が恐竜の骨格であったり仏像などであったりする場合には、その全体を見易く展示するために天井から線材を用いて吊り下げことも行われているものの、そのための展示作業に多くの時間を費やさなければならなくなる問題があった。
【０００９】
本発明は、従来技術にみられた上記課題に鑑み、展示物の如何に拘わらず、展示現場の具体的な状況に柔軟に対応させながら優れた演出効果を伴って自由に、かつ、簡単に展示することができる汎用支持ブロックおよび汎用支持ユニットを提供することを目的とする。
【課題を解決するための手段】
【００１０】
本発明は、上記目的を達成すべくなされたものであり、そのうちの第１の発明（汎用支持ブロック）は、短辺側の長さがａで長辺側の長さをｂとするとき、ｂ＝２ａ〜３ａである面形状が長方形となって隣り合う第一面〜第四面と、各短辺側の長さがａの正方形を呈して相互に向き合う第五面と第六面とで直方体形状を呈し、前記第一面には、その長さ方向での中心線方向をその円心位置として配置される１以上の小径螺孔を、前記第二面には、その長さ方向での中心線からいずれか一方の長辺側にずれた平行線方向をそれぞれの円心位置とし、かつ、前記第一面の前記小径螺孔とは異なる位置にて隣り合う相互の間隔を同一にして前記第四面側へと貫通配置される２個以上の大径貫通孔を、前記第三面には、前記第一面側から貫通している前記小径螺孔の位置を基準に、前記第二面の前記大径貫通孔のうち、少なくとも一方寄りに位置する前記大径貫通孔へと横並びとなって至る２個の小径ねじ穴と、前記小径螺孔と同じ中心線方向にて前記第五面と第六面とのいずれか寄りに配置される１個の小径ねじ穴と、前記第二面でいずれか１個の前記大径貫通孔へと至って連通する１以上の小径ねじ穴とを、前記第五面には、前記第一面の一方の前記小径螺孔へと至って連通する前記大径貫通孔と同径な１個の大径穴を、前記第六面には、前記第一面の他方の前記小径螺孔へと至って連通する前記大径貫通孔と同径な１個の大径穴を、それぞれ少なくとも設けたことを最も主要な特徴とする。
【００１１】
この場合、前記第一面には、その長さ方向での中心線方向をそれぞれの円心位置として離間配置される２個の小径螺孔を、前記第三面には、前記第一面側から貫通している前記小径螺孔の位置を基準に、前記第二面の前記大径貫通孔のうち、一方寄りに位置する前記大径貫通孔へと横並びとなって至る２個の小径ねじ穴と、他方寄りに位置する前記大径貫通孔へと横並びに至って連通する２個の小径ねじ穴と、前記小径螺孔と同じ中心線方向にて前記第五面寄りと第六面寄りとに各別に配置される小径ねじ穴と、前記第二面で中央に位置する前記大径貫通孔へと横並びに至って連通する２個の小径ねじ穴とを、前記第五面には、前記第一面の一方の前記小径螺孔へと至って連通する前記大径貫通孔と同径な１個の大径穴を、前記第六面には、前記第一面の他方の前記小径螺孔へと至って連通する前記大径貫通孔と同径な１個の大径穴を、それぞれ設けるのが好ましい。
【００１２】
また、第２の発明（汎用支持ユニット）は、請求項１または２に記載の１以上の前記汎用支持ブロックと、前記大径貫通孔および前記大径穴を介して挿通支持される適宜長さの塑性変形可能な１以上の支持用線材と、前記大径貫通孔側および前記大径穴側への前記支持用線材の位置固定を可能に前記小径螺孔および前記小径ねじ穴に螺着される１以上の止着用ねじ材と、前記小径螺孔および前記小径ねじ穴との螺合が自在な適宜長さの１以上の連結用ボルト材とで少なくとも構成したことを最も主要な特徴とする。
【００１３】
この場合、前記支持用線材には、該支持用線材を部分的に覆って支持すべき展示品への直接接触を回避させて傷付かないように保護すべく、軟質チューブを挿通配置しておくのが望ましい。また、前記連結用ボルト材には、２個の締付けナット材を具備させておくこともできる。
【００１４】
さらに、前記汎用支持ブロックは、前記第一面または第四面の前記小径螺孔から、もしくは第二面または第四面の前記大径貫通孔からそれぞれの反対面側へと送り込まれる１以上の固定用ねじ材を介して適宜の壁面側への着脱を自在とすることもできる。
【発明の効果】
【００１５】
請求項１に係る発明によれば、第一面〜第六面には、適宜の部材を挿入配置することができる小径螺孔、大径貫通孔、小径ねじ穴および大径穴のうちのいずれかが形成されているので、使用者の利用態様に応じてその展示パターンを千変万化させることができる汎用支持ブロックを提供することができる。
【００１６】
請求項２に係る発明によれば、第一面〜第六面には、適宜の部材を挿入配置することができる小径螺孔、大径貫通孔、小径ねじ穴および大径穴が、相互に関係付けされた連通構造を備えて形成されているので、使用者の利用態様に応じてその展示パターンをより千変万化させることができる汎用支持ブロックとして使用することができる。
【００１７】
請求項３に係る発明によれば、汎用支持ブロックのほか、大径貫通孔および前記大径穴を介して挿通支持される適宜長さの塑性変形可能な１以上の支持用線材と、大径貫通孔側および大径穴側への支持用線材の位置固定を可能に小径螺孔および小径ねじ穴に螺着される１以上の止着用ねじ材と、小径螺孔および前記小径ねじ穴との螺合が自在な適宜長さの１以上の連結用ボルト材とで少なくとも構成されているので、展示物の如何に拘わらず、展示現場の具体的な状況に柔軟に対応させながら優れた演出効果を伴って自由に、かつ、簡単に展示することができる。
【００１８】
請求項４に係る発明によれば、支持用線材には、該支持用線材を部分的に覆う軟質チューブが挿通配置されているので、支持すべき展示品への直接接触を回避させて傷付かないように保護することができる。
【００１９】
請求項５に係る発明によれば、連結用ボルト材は、２個の締めけナット材を備えているので、２個の汎用支持ブロックを相互に連結するために螺着させた際にナット材を締め付けることで、その螺着状態をより確実なものとすることができる。
【００２０】
請求項６に係る発明によれば、汎用支持ブロックは、固定用ねじ材を介して適宜の壁面側に着脱自在に固定配置することができるので、このような固定状態のもとで汎用支持ブロック側に支持用線材や止着用ねじ材を配置することで、展示物を床面から浮かせた状態のもとで効果的に展示することができる。
【図面の簡単な説明】
【００２１】
【図１】第１の発明の一例についての斜視図であり、そのうちの（ａ）は、第一面と第二面と第五面とが見えるように配置した状態を、（ｂ）は、（ａ）に示す状態を９０度時計回りに回して第二面と第三面と第五面とが見えるように配置した状態を、（ｃ）は、（ｂ）に示す状態をさらに９０度時計回りに回して第三面と第四面と第五面とが見える用に配置した状態を、（ｄ）は、（ｃ）に示す状態をさらに９０度時計回りに回して第四面と第一面と第五面とが見えるように配置したした状態を、それぞれ示す。
【図２】第２の発明の基本構成例を示す斜視図。
【図３】第２の発明による使用状態例を示する斜視図。
【図４】第２の発明の組立状態例を示す斜視図。
【図５】第１の発明である汎用支持ブロックの壁面側への取付け状態例について斜視図であり、そのうちの（ａ）は、縦長方向に配置した汎用支持ブロックを第一面側から第３面側にねじ材を送り込んで壁面に固定する場合を、（ｂ）は、横長方向に配置した汎用支持ブロックを第二面側から第四面側にねじ材を送り込んで壁面に固定する場合を、それぞれ示す。
【発明を実施するための形態】
【００２２】
図１は、本発明のうちの第１の発明（汎用支持ブロック）の一例を角度を９０度ずつ変えて（ａ）〜（ｄ）として示す斜視図である。同図によれば、アルミニウム等の比較的軽量な適宜の金属材からなる汎用支持ブロック１１は、短辺ｌ１側の長さがａで長辺ｌ２側の長さをｂとするとき、ｂ＝２ａ〜３ａである面形状が長方形となって隣り合う第一面１２，第二面１３，第三面１４，第四面１５と、各短辺ｌ１側の長さがａの正方形を呈して相互に向き合う第５面１６と第６面１７とで直方体形状を呈して形成されている。なお、汎用支持ブロック１１は、必要によっては所要の強度を有する合成樹脂材により形成することもできる。
【００２３】
そして、汎用支持ブロック１１の第一面１２には、その長さ方向での中心線方向をそれぞれの円心位置として離間配置される２個の小径螺孔２２が図１（ｂ）に示す第三面１４側へと各別に貫通させた状態のもとで形成されている。
【００２４】
また、第二面１３には、その長さ方向での中心線方向からいずれか一方の長辺ｌ２側に、図１（ａ）によれば右側に位置する長辺ｌ２側にずれた平行線方向をそれぞれの円心位置とするとともに、第一面１２の小径螺孔２２の貫通方向とは位置を異にし、かつ、隣接する相互の間隔を同一にして図１（ｃ）に示す第四面１５側へと貫通させた３個の大径貫通孔２３が形成されている。
【００２５】
また、第三面１４には、第一面１２側から貫通している小径螺孔２２の位置を基準に、第二面１３の大径貫通孔２３のうち、一方寄り、図１（ｂ）によれば最上位に位置する大径貫通孔２３方向へと横並びとなって至って連通する２個の小径ねじ穴２４と、他方寄り、図１（ｂ）によれば最下位に位置する大径貫通２３孔方向へと横並びに至って連通する２個の小径ねじ穴２５と、各小径螺孔２２と同じ中心線方向にて第五面１６寄りと第六面１７寄りとに各別に配置される小径ねじ穴２６と、第二面１３で中央に位置する大径貫通孔２３方向へと横並びに至って連通する２個の小径ねじ穴２７とが形成されている。
【００２６】
なお、第四面１５側には、既に第二面１３について説明したとおりの位置関係のもとで３個の大径貫通孔２３が図１（ｃ）に示されているように左側に位置する長辺ｌ２側寄りに配置されることになる。
【００２７】
また、第五面１６には、第一面１２の一方の、図１（ａ）によれば上側の小径螺孔２２へと至って連通する１個の大径穴２８が大径貫通孔２３と同径となって形成されている。
【００２８】
第六面１７には、第一面の他方の、図１（ａ）によれば下側の小径螺孔２２へと至って連通する１個の大径穴２９が大径貫通孔２３と同径となって形成されている。
【００２９】
一方、図２は、本発明のうちの第２の発明（汎用支持ユニット）の基本構成例を示す斜視図である。同図によれば、汎用支持ユニット３１は、既に説明した構造を備える汎用支持ブロック１１と、適宜長さの１以上の支持用線材３２と、角穴４２ａ付きの１以上の止着用ねじ材４２と、適宜長さの１以上の連結用ボルト材５２とで少なくとも構成されている。
【００３０】
これらのうち、支持用線材３２は、汎用支持ブロック１１における大径貫通孔２３および大径穴２８，２９よりやや小径な外径が付与されてこれら大径貫通孔２３および大径穴２８，２９に挿通配置される例えばアルミニウム線材などの塑性変形可能な金属素材を用いて形成されている。
【００３１】
しかも、支持用線材３２には、その長さ方向を部分的に覆うことで、支持すべき展示品７１への直接接触を回避させて傷付かないように保護すべく、例えばシリコーンゴムチューブなどからなる軟質チューブ３３を予め挿通配置しておくこともできる。
【００３２】
また、六角穴などの角穴４２ａを頂面に有する止着用ねじ材４２は、角穴４２ａへのねじ回しの係合・回転による小径螺孔２２および小径ねじ穴２４〜２７への螺着を可能に形成されており、これにより大径貫通孔２３および大径穴２８，２９に挿通配置された支持用線材３２を位置固定することができることになる。
【００３３】
さらに、連結用ボルト材５２は、汎用支持ブロック１１における小径螺孔２２および小径ねじ穴２４〜２７との螺合が自在に形成されており、該連結用ボルト材５２を介することで、例えば２個の汎用支持ブロック１１，１１相互を図４に示されているように連結することができることになる。
【００３４】
この場合、連結用ボルト材５２には、図２に示すように予め２個の締付けナット材５３を螺合配置しておき、汎用支持ブロック１１，１１相互を連結した際に各締付けナット材５３を対応する汎用支持ブロック１１側に緊締することでその連結状態をより確実なものとすることができることになる。
【００３５】
さらに、汎用支持ユニット３１には、第一面１２または第三面１４の小径螺孔２２から、もしくは第二面１３または第四面１５の大径貫通孔２３からそれぞれの反対面方向へと送り込んで汎用支持ブロック１１を適宜の壁面８１側に例えば図５（ａ），（ｂ）に示すように着脱自在に固定する１以上の固定用ねじ材６２を含めておくこともできる。
【００３６】
次に、第１の発明である汎用支持ブロック１１を含めて構成される第２の発明としての汎用支持ユニット３１の作用・効果を、図３〜図５に基づいて説明する。まず、図３に示す例について説明すれば、汎用支持ブロック１１は、第五面１６が左側面側を、第三面１４が上面側を、第五面１６が正面側をそれぞれ向く位置関係のもとで配置されている。
【００３７】
この場合、展示品７１の下支え部位との関係で折曲変形された軟質チューブ３３付きの支持用線材３２は、その一端部が第五面１６の大径穴２８に、他端部が第６面１７の大径穴２９にそれぞれ挿入されている。そして、第五面１６の大径穴２８に挿入された支持用線材３２の一端部は、第三面１４の一方の側の小径螺孔２６と小径ねじ穴２２とに螺着された止着用ねじ材４２により、他端部は、第三面１４の他方の側の小径螺孔２６と小径ねじ穴２２とに螺着された止着用ねじ材４２により、それぞれが位置固定されている。
【００３８】
また、展示品７１の抱持部位との関係で折曲変形された奥左側に位置する軟質チューブ３３付きの一方の支持用線材３２は、その基端部が第四面１５の中央に位置する大径貫通孔２３に挿入されている。そして、該支持用線材３２の基端部は、第三面１４の２個の小径ねじ穴２７に各別に螺着された止着用ねじ材４２により位置固定されている。
【００３９】
さらに、同じく奥右側に位置する軟質チューブ３３付きの他方の支持用線材３２は、その基端部が第六面１７寄りの大径貫通孔２３に挿入されている。そして、該支持用線材３２の基端部は、２個の小径ねじ穴２５に螺着された止着用ねじ材４２により位置固定されている。
【００４０】
このため、展示品７１は、その下面側が軟質チューブ３３を介して手前側の支持用線材３２に下支えされ、上面側が軟質チューブ３３を介して奥側の一対の支持用線材３２，３２に抱持させた状態のもとで、床面上に安定的に展示することができることになる。
【００４１】
次に、図４に示す例について説明すれば、２個の汎用支持ブロック１１は、奥側が第四面１５と第一面１２とが見え、手前側が第二面１３と第三面１４とが見えるそれぞれの位置関係のもとで配置されている。
【００４２】
この場合、奥側の汎用支持ブロック１１は、その第一面１２の上側に位置する小径螺孔２２に連結用ボルト材５２の一端部が螺合され、かつ、締付けナット材５３が緊締されている。また、手前側の汎用支持ブロック１１は、同じく第一面１２の上側に位置する小径螺孔２２に連結用ボルト材５２の他端部が螺合され、かつ、締付けナット材５３が緊締されている。
【００４３】
このため、汎用支持ブロック１１，１１相互は、連結用ボルト材５２を介して確実に連結されることになる。このようにして汎用支持ブロック１１，１１相互を連結した際には、それぞれの第五面１６に備える大径孔２８に支持用線材３２を各別に挿入配置した上で、例えば手前側の汎用支持ブロック１１がその第三面１４に備える小径螺孔２２と小径ねじ穴２６とに止着用ねじ材４２を螺着することで、適宜形状に折曲変形させるなどした支持用線材３２を抜脱困難に位置固定することができることになる。
【００４４】
また、図４に示すような連結関係は、例えば手前側に位置する汎用支持ブロック１１がその第三面１４に備える小径ねじ穴２４〜２７のいずれかに他の連結用ボルト材５２の一端部を螺合した上で、別途用意される３個目の汎用支持ブロック１１が備える第一面１２の小径螺孔２２や第三面１４の小径ねじ穴２４〜２７のいずれかに連結用ボルト材５２の他端部を螺合することで、所望に応じてその数を増やしていくことができる。
【００４５】
最後に、汎用支持ブロック１１の壁面８１側への取付け状態例を図５に基づいて説明する。例えば図５（ａ）に示すように縦方向をその長さ方向として配置される汎用支持ブロック１１は、第一面１２側から壁面８１に向けて固定用ねじ材６２を送り込んで壁面８１側に螺着させることで固定配置することができる。
【００４６】
また、図５（ｂ）に示すように横方向をその長さ方向として配置される汎用支持ブロック１１は、第三面１４側から壁面８１に向けて固定用ねじ材６２を送り込んで壁面８１側に螺着させることで固定配置することができる。
【００４７】
そして、壁面８１側に汎用支持ブロック１１を位置固定させた後は、図５（ａ）に示す第五面１６の大径穴２８に支持用線材３２を挿入配置したり、同じく図５（ａ）に示す第二面１３の大径貫通孔２３に支持用線材３２を挿通配置したり、図５（ｂ）に示す第一面１２の小径螺孔に連結用ボルト材５２を螺合したり、第六面１７の大径穴２９に支持用線材３２を挿入配置するなど、適宜の組み合わせからなる汎用支持ユニット３１を介して展示品７１を床面から浮かせた状態のもとで展示することができる。
【００４８】
つまり、第１の発明（汎用支持ブロック）によれば、第一面１２〜第六面１７には、汎用支持ユニット３１を構成する適宜の部材を挿入したり連結配置することができる小径螺孔２２、大径貫通孔２３、小径ねじ穴２４〜２７および大径穴２８，２９のうちのいずれかを備えているので、使用者の利用態様に応じてその展示パターンを千変万化させることができる汎用支持ブロック１１を提供することができることになる。
【００４９】
この場合、第一面１２〜第六面１７には、汎用支持ユニット３１を構成する適宜の部材を挿入配置することができる小径螺孔２２、大径貫通孔２３、小径ねじ穴２４〜２７および大径穴２８，２９が、相互に関係付けされた連通構造が付与されている場合には、使用者の利用態様に応じてより寄り柔軟に千変万化させることができる汎用支持ブロック１１として使用することができることになる。
【００５０】
また、第２の発明（汎用支持ユニット）によれば、汎用支持ブロック１１のほか、大径貫通孔２３および大径穴２８，２９を介して挿通支持される適宜長さの塑性変形可能な１以上の支持用線材３２と、大径貫通孔２３側および大径穴２８，２９側への支持用線材３２の位置固定を可能に小径螺孔２２および小径ねじ穴２４〜２７に螺着される１以上の止着用ねじ材４２と、小径螺孔２２および小径ねじ穴２４〜２７との螺合が自在な適宜長さの１以上の連結用ボルト材５２とで少なくとも構成されているので、展示品７１の如何に拘わらず、展示現場の具体的な状況に柔軟に対応させながら優れた演出効果を伴って自由に、かつ、簡単に展示することができる。
【００５１】
また、支持用線材３２に該支持用線材３２を部分的に覆う軟質チューブ３３が挿通配置されている場合には、支持すべき展示品７１への直接接触を回避させて傷付かないように保護することができる。
【００５２】
さらに、連結用ボルト材５２が２個の締付けナット材５３を備えている場合には、２個の汎用支持ブロック１１を相互に連結するために螺着させた際に、締付けナット材５３を緊締することで、その螺着状態をより確実なものとすることができる。
【００５３】
さらにまた、汎用支持ブロック１１が固定用ねじ材６２を介して適宜の壁面８１側に着脱自在に固定配置することができる場合には、汎用支持ブロック１１側に支持用線材３２や止着用ねじ材４２を配置することで、展示品７１を床面から浮かせた状態のもとで効果的に展示することができる。
【００５４】
以上は、本発明を図示例に基づいて説明したものであり、その具体的な内容は、本発明の要旨を逸脱しない限り、種々の変形を加えることができる。例えば、汎用支持ブロック１１の第一面１２には、その長さ方向での中心線方向をその円心位置として配置される１個や３個の小径螺孔２２を、第二面１３には、その長さ方向での中心線からいずれか一方の長辺側にずれた平行線方向をそれぞれの円心位置とし、かつ、第一面１２の小径螺孔２２とは異なる位置にて隣り合う相互の間隔を同一にして第四面１５側へと貫通配置される２個や４個の大径貫通孔２３を、第三面１４には、第一面１２側から貫通している小径螺孔２２の位置を基準に、第二面１３の大径貫通孔２３のうち、少なくとも一方寄りに位置する大径貫通孔２３へと横並びとなって至る２個の小径ねじ穴２４または２５と、小径螺孔２２と同じ中心線方向にて第五面１６と第六面１７とのいずれか寄りに配置される１個の小径ねじ穴２６と、第二面１３でいずれか１個の大径貫通孔２３へと至って連通する１以上の小径ねじ穴２７とを、第五面１６には、第一面１２の一方の小径螺孔２２へと至って連通する大径貫通孔と同径な１個の大径穴２８を、第六面１７には、第一面１２の他方の小径螺孔２２へと至って連通する大径貫通孔２３と同径な１個の大径穴２９をそれぞれ設けるものであってもよい。
【産業上の利用可能性】
【００５５】
本発明は、例えば、美術館や博物館などの専門施設における遺物等の展示物の展示手法としてばかりではなく、一般家庭における装飾品や日用品を簡単に展示する民生分野の展示手法としても好適に利用ことができる汎用性を備えている。
【符号の説明】
【００５６】
１１  汎用支持ブロック
１２  第一面
１３  第二面
１４  第三面
１５  第四面
１６  第五面
１７  第六面
２２  小径螺孔
２３  大径貫通孔
２４，２５，２６，２７  小径ねじ穴
２８，２９  大径穴
３１  汎用支持ユニット
３２  支持用線材
３３  軟質チューブ
４２  止着用ねじ材
４２ａ  角穴
５２  連結用ボルト材
５３  締付けナット材
６２  固定用ねじ材
７１  展示品
８１  壁面
ｌ１  短辺
ｌ２    長辺
【図１】
2015009084.tif 000003
【図２】
2015009084.tif 000004
【図３】
2015009084.tif 000005
【図４】
2015009084.tif 000006
【図５】
2015009084.tif 000007